(57)【特許請求の範囲】
【請求項１】
用紙を排出する排出手段と、該排出手段から排出された用紙の上流部を支える整合トレイと、該整合トレイ上で後処理を行う後処理手段と、該後処理手段によって後処理された用紙束を放出する放出手段と、該放出手段によって放出された用紙束をスタックする排紙トレイとを有する用紙後処理装置であって、
前記放出手段は、前記後処理された用紙束を放出する押し出し部材と、該押し出し部材による用紙束の放出時における用紙束の撓みを防止するための支え部材と、を備え、
前記支え部材は、その一方の端部が前記押し出し部材と係合し、かつ前記排紙トレイのスタック面に対し上方向のみに回動可能に設けられ、前記押し出し部材により用紙束を押出さないときは、前記整合トレイの用紙積載面と略平行の状態を維持すると共に、前記押し出し部材による用紙束の押出し中に、当該支え部材の他方の端部が前記排紙トレイにスタックされた用紙束に接触したときは、前記上方向に回動することを特徴とする用紙後処理装置。
【請求項２】
前記支え部材は、前記押し出し部材と一体的に進退可能に形成されていることを特徴とする請求項１に記載の用紙後処理装置。
【請求項３】
前記支え部材は、前記整合トレイの用紙積載面よりも高さ方向で下方の位置に設けられていることを特徴とする請求項１または２に記載の用紙後処理装置。
【請求項４】
前記整合トレイの下流部分の形状は、前記放出手段により放出された用紙束の後端を下方にガイドするガイド形状であることを特徴とする請求項１〜３のうちの何れか一つに記載の用紙後処理装置。
【発明の詳細な説明】
【０００１】
【発明の属する技術分野】
本発明は、画像形成装置に装備され、排出された用紙束の縦方向と横方向との整合を行う用紙揃え機構を有する用紙後処理装置に関する。
【０００２】
【従来の技術】
従来、プリンタや複写機などの画像形成装置の排紙側に装着され、画像形成後の用紙に対して折り、仕分け（ソート）、綴じ（ステイプル）などの後処理を行う用紙後処理装置が用いられている。このような用紙後処理装置では、複数枚の用紙をジョブ毎に用紙端を揃える処理、いわゆる整合処理を行い所定の後処理を実行している。
【０００３】
また、この用紙後処理装置は、整合処理を施した後、例えばステイプルの後処理が施された用紙束を排紙トレイへ放出する放出部を備えているのが一般的である。この放出部には、整合処理および後処理された用紙束を押し出す押し出し部材を備えた放出部（これを第１の放出部とする）や、この押し出し部材と、整合処理および後処理された用紙束を支える支え部材とが一体化された放出部（これを第２の放出部とする）もある。さらに、前記押し出し部材と前記支え部材とが別体に構成され、互いに所定のタイミングで進退させるように構成された放出部（これを第３の放出部とする）も実現されている。
【０００４】
いずれにおいても、押し出し部材が排紙トレイ側（下流側）へ移動することにより、用紙束を排紙トレイへ押し出す。
【０００５】
【発明が解決しようとする課題】
しかしながら、上記従来の用紙後処理装置において、上記第１の放出部を有する用紙後処理装置にあっては、その第１の放出部によって腰が無い用紙束を排紙トレイへ放出する場合には、当該用紙束が下側に撓んで（湾曲して）しまい、正確に用紙束を押し出せないという事態が発生する虞がある。
【０００６】
また、上記第２の放出部を有する用紙後処理装置にあっては、その第２の放出部によって用紙束を排紙トレイへ押し出す場合に、この第２の放出部における支え部材の先端部が、排紙トレイにスタックされた用紙束に突き当たり、当該用紙束を押し出してしまうという事態が発生する虞がある。
【０００７】
さらに、上記第３の放出部を有する用紙後処理装置にあっては、前記押し出し部材を進退させる機構や前記支え部材を進退させる機構が必要となり、このため用紙束を放出（押し出し）するための機構が複雑で高価なものとなってしまう。
【０００８】
本発明は上記に鑑みてなされたものであって、腰の無い用紙束であっても用紙束放出時に撓む（湾曲する）こと無く、確実に用紙束を放出することのできる用紙後処理装置を提供することを第１の目的とする。
【０００９】
また、本発明は、腰の無い用紙束であっても用紙束放出時に撓む（湾曲する）こと無く、確実に用紙束を放出することができると共に、排紙トレイにスタックされた用紙束のスタック品質を向上させることができる用紙後処理装置を提供することを第２の目的とする。
【００１０】
さらに、本発明は、腰の無い用紙束であっても用紙束放出時に撓む（湾曲する）こと無く、確実に用紙束を放出することができると共に、放出手段を単純で安価に実現することができる用紙後処理装置を提供することを第３の目的とする。
【００１１】
【課題を解決するための手段】
上記した課題を解決し、第３の目的を達成するため、請求項１の発明にかかる用紙後処理装置は、用紙を排出する排出手段と、該排出手段から排出された用紙の上流部を支える整合トレイと、該整合トレイ上で後処理を行う後処理手段と、該後処理手段によって後処理された用紙束を放出する放出手段と、該放出手段によって放出された用紙束をスタックする排紙トレイとを有する用紙後処理装置であって、前記放出手段は、前記後処理された用紙束を放出する押し出し部材と、該押し出し部材による用紙束の放出時における用紙束の撓みを防止するための支え部材と、を備え、前記支え部材は、その一方の端部が前記押し出し部材と係合し、かつ前記排紙トレイのスタック面に対し上方向のみに回動可能に設けられ、前記押し出し部材により用紙束を押出さないときは、前記整合トレイの用紙積載面と略平行の状態を維持すると共に、前記押し出し部材による用紙束の押出し中に、当該支え部材の他方の端部が前記排紙トレイにスタックされた用紙束に接触したときは、前記上方向に回動することを特徴とする。
【００１２】
この請求項１の発明によれば、放出手段が、後処理された用紙束を放出する押し出し部材と、用紙束の撓みを防止するための支え部材とを備えているので、腰の無い用紙束を排紙トレイへ押し出す（放出する）場合であっても、当該腰の無い用紙束の撓み（湾曲）が抑制される。また、請求項１の発明によれば、放出手段における支え部材は、押し出し部材により用紙束を押出さないときは、整合トレイの用紙積載面と略平行の状態を維持すると共に、押し出し部材による用紙束の押出し中に、当該支え部材の他方の端部が排紙トレイにスタックされた用紙束に接触したときは、前記上方向に回動するので、支え部材の他方の端部が、排紙トレイに排紙スタックされた用紙束に接触したとしても、当該用紙束は押し出されることはない。
【００１３】
また、第２の目的を達成するため、請求項２の発明にかかる用紙後処理装置は、請求項１において、前記支え部材は、前記押し出し部材と一体的に進退可能に形成されていることを特徴とする。
【００１４】
この請求項２の発明によれば、支え部材は押し出し部材と一体的に進退可能に形成されているので、放出手段を単純な機構とすることが可能である。
【００１７】
請求項３の発明にかかる用紙後処理装置は、請求項１または２において、前記支え部材は、前記整合トレイの用紙積載面よりも高さ方向で下方の位置に設けられていることを特徴とする。
【００１８】
この請求項３の発明によれば、支え部材を整合トレイの用紙積載面よりも高さ方向で下方の位置に設けているので、押し出し部材によって押出される用紙束は、確実に排紙トレイへ放出されることとなる。
【００１９】
さらに、第１および第２の目的を達成するため、請求項４の発明にかかる用紙後処理装置は、請求項１〜３のうちの何れか一つにおいて、前記整合トレイの下流部分の形状は、前記放出手段により放出された用紙束の後端を下方にガイドするガイド形状であることを特徴とする。
【００２０】
この請求項４の発明によれば、放出手段により放出された用紙束の後端は整合トレイの下流部分に沿って下方（排紙トレイ側）にガイドされるので、用紙束を逆流させることなく排紙トレイへ排出することができる。
【００２１】
【発明の実施の形態】
以下に添付図面を参照して、この発明にかかる用紙後処理装置の好適な実施の形態を詳細に説明する。
【００２２】
図１および図２は、実施の形態の用紙後処理装置の概略構成図を示すものである。なお、図１はスルーモードおよびシフトモードが選択されたときの状態図を示し、図２はステイプルモードが選択されたときの状態図を示している。
【００２３】
図１および図２において、用紙後処理装置１は、大きくは、画像形成装置から排紙される用紙を受け入れるための入口ローラ対２と搬送センサ３とを図示のように搬送経路に有する用紙入口部と、後述する搬送ローラ部４と、切替爪５によりモード別の搬送経路を切り替える搬送切替部と、底板８（特許請求の範囲の「整合トレイ」に対応）に積載された用紙の幅方向の整合を行う整合部９０と、用紙の搬送方向の整合を行うタタキコロ部１０と、処理後の用紙が積載される排紙トレイ６と、排紙トレイ６に用紙を排紙する排紙ローラ対７と、用紙束を綴じるステイプラ装置１１（特許請求の範囲の「後処理手段」に対応）と、ステイプル処理後の用紙束を排紙トレイ６に放出する放出部１２（特許請求の範囲の「放出手段」に対応）と、を備えている。
【００２４】
切替爪５は、用紙の搬送経路を、非処理モード（スルーモード）、仕分けモード（シフトモード）用の搬送経路Ａと、ステイプルモード用の搬送経路Ｂとに分岐するために設けられている。なお、符号５ａが搬送経路Ａ切替面、符号５ｂが搬送経路Ｂ切替面、符号５ｃが用紙押圧面である。
【００２５】
上述した用紙後処理装置１に送り込まれた用紙は、本装置内の入口ローラ対２により上方向へ搬送され、搬送センサ３を通過し搬送ローラ部４へと搬送される。上記用紙は搬送センサ３からの位置情報（通過情報）にしたがって、切替爪５により非処理モード（スルーモード）、仕分けモード（シフトモード）用の搬送経路Ａあるいはステイプルモード用の搬送経路Ｂに分岐され、当該モードに基づいた後処理が行われる。
【００２６】
次に、図１および図２における搬送ローラ部４および切替爪５について図３を参照して説明する。
【００２７】
搬送ローラ部４は、駆動軸４ａに２個の円筒状のコロ４ｂが圧入されている搬送ローラと、コロ４ｂと当接するように配設された円筒状の従動コロ４ｃと、従動コロ４ｃからの駆動を受ける従動軸４ｄとからなる搬送ローラ対と、駆動軸４ａと従動軸４ｄとを連結すると共に搬送ローラ対を用紙幅方向に移動させるラックギヤを一体に形成したシフトラックギヤ４ｅと、シフトラックギヤ４ｅを横移動（用紙幅方向移動）させるシフト駆動源４ｆおよびモータ４ｍと、ホームポジションおよび横移動量を検知するセンサ４ｇとで構成されている。
【００２８】
この搬送ローラ部４は、スルーモード時には搬送ローラとして機能し、一方、シフトモードあるいはステイプルモード時には、搬送しながら用紙をシフトする機能を有している。
【００２９】
切替爪５は、搬送ローラ部４の下流に配設され、用紙の搬送経路を搬送経路Ａに切替える搬送経路Ａ切替面５ａと、搬送経路を搬送経路Ｂに切替える搬送経路Ｂ切替面５ｂと、用紙を押圧する用紙押圧面５ｃとを有している。
【００３０】
また用紙押圧面５ｃに対向する部位には、切替爪５の回転の支点となる回転支点５ｄと、回転支点５ｄを案内棒として用紙を搬送経路Ｂに導く方向に付勢する図示しないねじりコイルバネと、用紙を搬送経路Ａに導く方向すなわち用紙を押さえ付ける方向に付勢する引張スプリング５ｆと、を備えている。なお、切替爪５の用紙接触面は用紙が引っかからないように低摩擦で滑らかな状態になっている。
【００３１】
次に、図１および図２における底板８について図４を参照して説明する。搬送ローラ部４の下方に配設された底板８は、図４に示すように、整合部９０が往来できるスリット状の溝８ａと、タタキコロ部１０による整合を行うとき用紙の後端の整合基準となる後端基準８ｂと、後述する放出爪１２ａを用紙搬送方向に往復運動させると共にそのガイドとなるガイドレール８ｃと、放出爪１２ａを移動させるアームの回動中心となる突設された図示しないボスと、両端に回転軸８ｄと、その一端にギヤ８ｆとが一体で形成されている。ギヤ８ｆは、図示しないギヤ列やギヤ８ｇを介して駆動源であるモータ９０ｍが付設されている。
【００３２】
なお、この底板８は、モータ９０ｍの駆動により回転軸８ｄを回転中心として、後述するタタキコロ部１０のタタキ動作および整合部９０の整合動作に同期して回動するように構成されている。
【００３３】
整合部９０は、底板８に積載された用紙を整合できるよう底板８に形成されたスリット状の溝８ａを挿通した状態に配設されると共に、切替爪５よりも下流側に配設されている。
【００３４】
図５は、図１および図２における整合部９０の構成を示す説明図である。整合部９０は、図５に示すように、スライド部材９０ｂと、スライド部材９０ｂに挿通され回動可能な複数個の整合部材９０ａと、スライド部材９０ｂのスライドをガイドするガイド部材９０ｆと、スライド部材９０ｂ上を揺動する揺動部材９０ｄと、一端をスライド部材９０ｂに係止し、他端を揺動部材９０ｄに係止する圧縮スプリング９０ｃと、揺動部材９０ｄを揺動させるカム９０ｅと、で構成されている。
【００３５】
カム９０ｅが回転することにより、揺動部材９０ｄが圧縮スプリング９０ｃおよびスライド部材９０ｂを押すことで、整合部材９０ａが用紙を押さえる状態になる。整合部材９０ａは、用紙の自重により折り畳まれ、用紙が退避することにより折り畳み状態から用紙を整合する状態に復帰する。また、整合部材９０ａの形状は、搬送方向および横方向（搬送方向と直角方向）に用紙をガイドするガイド形状をしている。
【００３６】
なお、上述した整合部９０では、搬送ローラ部４による第１の整合（シフト）が行われた後の第２の整合を行うようになっている。この２段寄せおよび整合部９０の動作については、後述する。
【００３７】
なお、本実施の形態では、底板８を駆動するための駆動源としてモータを使用するようにしたが、これに限定されることなく、ソレノイドを用いるようにしても良い。
【００３８】
図６は、図１および図２におけるタタキコロ部１０の構成を示す説明図である。このタタキコロ部１０は、図６に示すように、略円柱状で、かつ用紙を移動させる程度の摩擦体（たとえば、スポンジコロなど）で形成され用紙搬送方向の整合を行う戻しコロ１０ａと、戻しコロ１０ａを回転自在に支持し中心軸１０ｂに回転自在に取り付けられたタタキブラケット１０ｃと、戻しコロ１０ａと一体に形成された第１プーリを介して張設された第１ベルト１０ｄと、第１ベルト１０ｄの他端に駆動を伝達する第２プーリ１０ｅと、第２プーリ１０ｅを介して張設された第２ベルト１０ｆと、第２ベルト１０ｆの他端に中心軸１０ｂを回転中心とした第３プーリ１０ｇと、第３プーリ１０ｇを介して張設された第３ベルト１０ｈと、第３ベルト１０ｈの他端にモータ１０ｍの回転軸に圧入された第4プーリ１０ｉと、戻しコロ１０ａを駆動させるモータ１０ｍと、中心軸１０ｂがカシメ固定されておりモータ１０ｍを取り付けるためのモータブラケット１０ｊと、戻しコロ１０ａを用紙に当接させる方向に付勢する張スプリング１０ｋと、から構成されている。
【００３９】
このタタキコロ部１０は、底板８の上方に、用紙排出方向に対し２個並列して配設されており、駆動源（図示せず）の上下運動に伴い中心軸１０ｂを回転中心として振り子運動を行い、戻しコロ１０ａを用紙に当接させたり離間させたりしてタタキ動作を行う。なお、用紙の整合は戻しコロ１０ａが用紙に当接したときのみ行われる。この実施の形態では、タタキコロ部１０の機構として戻しコロを用いているが、これに限定されることなく、たとえばパドル（断面が放射状を成した回転体）を用いても同様の機能が実現する。
【００４０】
図７は、図１および図２における放出部１２の構成を示す説明図である。この放出部１２は、図７に示すように、ステイプル処理された用紙束を放出する放出爪１２ａ（特許請求の範囲の「押し出し部材」に対応）と、一端が放出爪１２ａとスライド自在に連結し他端が底板８に突設されたボス（図示せず）に回転自在に取り付けられたアーム１２ｂと、放出爪１２ａをホームポジションで待機させる方向に付勢するねじりコイルバネ（図示せず）と、用紙束を放出する方向すなわち図７中の符号Ｅで示される方向にアーム１２ｂを押圧する突起部材１２ｃを一体に形成したギヤ１２ｄと、ギヤ１２ｄを駆動させる駆動源（図示せず）と、で構成されている。
【００４１】
なお、放出爪１２ａの下腹部には、放出爪１２ａに係止し用紙束の下部を支え、回動自在に設けられた支え部材１２ｅ（特許請求の範囲の「支え部材」に対応）を有している。
【００４２】
図８は、本実の形態に係る放出部１２の回動可能な支え部材１２ｅを用いた場合における用紙の放出状態を示し、図９は、回動可能な支え部材１２ｅが設けられた放出部１２の構成を示す説明図である。
【００４３】
この放出部１２は、駆動源（図示せず）がギヤ１２ｄ（図７参照）を符号Ｅで示される矢印方向に駆動すると、突起部材１２ｃがアーム１２ｂを押圧することにより、放出爪１２ａが底板８のガイドレール８ｃ（図４参照）上を移動し用紙束を放出する。また、駆動源（図示せず）を逆転（ギヤ１２ｄを符号Ｅで示される矢印方向とは反対方向に駆動）させると、ねじりコイルバネの付勢により駆動源（図示せず）が停止する位置（ホームポジション）まで移動するように構成されている。
【００４４】
また、支え部材１２ｅは、その一方の端部が放出爪１２ａと係合し、かつ排紙トレイ６のスタック面に対し上方向のみに回動すると共に、放出爪１２ａと一体的に進退可能に形成されている。また、支え部材１２ｅは、底板８の用紙積載面よりも高さ方向で下方の位置に設けられている。
【００４５】
かかる支え部材１２ｅは、放出爪１２ａにより用紙束を押出さないときは、底板８（整合トレイ）の用紙積載面と略平行の状態を維持すると共に、放出爪１２ａによる用紙束の押出し中に、支え部材１２ｅの他方の端部が排紙トレイ６にスタックされた用紙束に接触したときは、前記上方向に回動する。
【００４６】
この実施の形態において、放出部１２に支え部材１２ｅを設けるようにしているのは、腰の無い用紙束であっても例えば下側に撓む（湾曲する）ことを防止し、用紙束の放出を確実に行うようにするためである。また、用紙束の放出時において、排紙トレイ６にスタック（積載）された用紙束に支え部材１２ｅの先端が突き当たることを防止して、用紙束のスタック品質を向上させるためである。
【００４７】
なお、底板８の下流部分（下流側先端部）は、放出部１２（の放出爪１２ａ）により放出された用紙束の後端を下方にガイドする形状で形成されている。すなわち、底板８の下流側先端部は、その下流側先端部の面と鉛直方向の面とが所定の角度θをなすように形成されている。このように底板８の下流側先端部において所定の角度θをもった傾斜面を形成するようにしているのは、用紙束後端が底板８の下流側先端部に沿って移動して、用紙束が排紙トレイ６に落下し易くするためである。
【００４８】
ここで、支え部材が存在しない放出部、および回動しない（固定の）支え部材１２ｅを有する放出部について説明する。
【００４９】
図１０は、上記支え部材１２ｅに相当する支え部材が存在しない放出部１２による用紙束放出処理を実施した場合の放出状態（つまり放出爪１２ａによる用紙の放出状態）を示し、図１１は、支え部材１２ｅが存在しない放出部１２の構成を示す説明図である。この図１０および図１１に示す放出部１２においては、腰が無い用紙束を放出する場合には、図１０に示すように、用紙束が下側に撓んで（湾曲して）しまい、用紙束を確実に押し出すことができないという事態が発生する虞がある。
【００５０】
図１２は、回動しない支え部材１２ｅ′（上記支え部材１２ｅに対応）を備えた放出部１２による用紙束放出処理を実施した場合の放出状態を示し、図１３は、回動しない（固定の）支え部材１２ｅ′が設けられた放出部１２の構成を示す説明図である。この図１２および図１３に示す放出部１２においては、支え部材１２ｅ′は上方向には回動せず固定であるので、用紙束の放出時において、排紙トレイ６にスタックされた用紙束に支え部材１２ｅの先端が突き当たり、用紙束を押し出してしまうという事態が発生する虞がある。
【００５１】
上述したように、用紙後処理装置１に用いる放出部１２として、上方向に回動可能な支え部材１２ｅを備えた放出部１２（図８および図９参照）を採用する方が、用紙束放出の確実性、用紙のスタック品質の向上性の観点から好ましい。
【００５２】
図１４は、底板８、整合部９０および放出部１２を下斜めから見た斜視図である。
【００５３】
つぎに、以上のように構成された用紙後処理装置１におけるステイプルモード動作について上記図１〜図１４に加えて、図１５〜図２０を参照しながら詳細に説明する。
【００５４】
ステイプルモードが選択されると、搬送ローラ部４は、ホームポジションまで移動した後に受け入れる用紙のサイズ（シフト量）に応じた位置で待機する。また、切替爪５は、搬送経路Ｂを塞ぐ位置すなわち搬送経路Ａに用紙が案内される位置で待機している（図１参照）。
【００５５】
底板８は、用紙積載面を水平方向と並行な状態で待機している。また、タタキコロ部１０は、底板８の用紙積載面を滑走してくる用紙の妨げにならないように底板８から離れた位置で待機している（図２参照）。さらに、放出部１２は、タタキコロ部１０による整合の妨げにならない位置すなわち底板８の後端基準８ｂよりも上流側で待機している。
【００５６】
それぞれが用紙受入状態になると、画像形成装置から搬送されてくる用紙が入口ローラ対２により受け入れられる。搬送センサ３が用紙先端を検知すると、切替爪５は、用紙を搬送経路Ｂへ案内する位置に移動する（図２の状態）。
【００５７】
図１５に示すように、中央基準で搬送されてきた用紙の先端が搬送ローラ部４のニップに到達した後しばらくすると、搬送ローラ部４は、図１６に示すように、用紙を搬送しながらステイプラ装置１１に向かって横移動を行い、側面基準８ｋの近傍まで第１の整合を行う。この時、整合部９０は、用紙が整合部材９０ａ上を通過する位置の整合部材９０ａは折り畳まれ、その他の整合部材９０ａは用紙を整合できる状態になっている。
【００５８】
なお、第１の整合は、処理対象のいずれの用紙サイズに対しても側面基準８ｋから２ｍｍの位置まで行うようになっている。第１の整合が行われると、搬送ローラ部４は、用紙を底板８に排出するまで搬送を続ける。用紙が底板８に排紙されると、図１７に示すように、切替爪５は、搬送経路Ａに案内する方向に回動し、用紙押圧面５ｃで用紙後端を押さえ付ける。さらに、図１８に示すように、この状態で残り２ｍｍの横方向の整合（第２の整合）を整合部９０で行う。このとき、用紙を切替爪５で押圧しているため、用紙側面の中心点を押圧しなくても用紙が回転（斜行）することなく整合することができる。
【００５９】
整合部９０によって用紙幅方向の整合が行われると、図１９に示すように、タタキコロ部１０により用紙の搬送方向の整合が行われる。すなわち、タタキコロ部１０が駆動源（図示せず）により紙面方向に回動すると、戻しコロ１０ａが用紙面に当接して、後端基準８ｂまで整合が行われる。このとき、底板８は用紙を搬送し易いように回転軸８ｄを支点として回動することにより、若干の隙間を設けている。
【００６０】
なお、タタキコロ部１０によるタタキ動作は、戻しコロ１０ａと用紙との間にスリップが生じても確実に用紙の整合が行えるように用紙後端が後端基準８ｂに到達してもしばらく行われる。
【００６１】
つぎに、用紙が後端基準８ｂに整合されると、図２０に示すように、開いていた底板８をホームポジションまで回動させて用紙を押え部材２０で挟み込み、さらに、タタキコロ部１０がホームポジションまで移動（後退）し、その後、タタキ動作を終了する。
【００６２】
このように、底板８の回動動作により用紙を強制的に押さえ付けることにより、カールした用紙の撓みを小さくすることができるため、カール量を考慮したスペース（高さ）が不要となり、小型化が実現する。また、つぎに排紙されてきた用紙が底板８に積載された用紙を押し出すことがないばかりか、底板８と排紙トレイ６との間に、この実施の形態のように段差があっても用紙がずり落ちることがないので、排紙トレイ６をそのつど底板８まで上昇させる必要が無くなる。
【００６３】
また、用紙が押さえ部材２０に挟持されると、切替爪５を上げてつぎの用紙の受け入れ状態に入る。上述した一連の動作を最終ページが終わるまで繰り返し実行する。最終ページが終了すると、ステイプラ装置１１によりステイプル（綴じ）が行われる。その後、放出部１２により綴じられた用紙束を排紙トレイ６に放出する。
【００６４】
この用紙束の放出時においては、放出爪１２ａによる用紙束の押出し中に、支え部材１２ｅの端部が排紙トレイ６にスタックされた用紙束に接触したときは、上方向に回動する。
【００６５】
【発明の効果】
以上説明したように、請求項１の発明によれば、放出手段は、後処理された用紙束を放出する押し出し部材と、用紙束の撓みを防止するための支え部材とを備えるようにしているため、放出手段によって腰の無い用紙束を排紙トレイへ押し出す（放出する）場合であっても、当該腰の無い用紙束の撓み（湾曲）を抑制することができ、確実に腰の無い用紙束を排紙トレイへ放出（押し出し）することができる。また、請求項１の発明によれば、放出手段における支え部材を、押し出し部材により用紙束を押出さないときは、整合トレイの用紙積載面と略平行の状態を維持すると共に、押し出し部材による用紙束の押出し中に、当該支え部材の他方の端部が排紙トレイにスタックされた用紙束に接触したときは、前記上方向に回動するようにしたため、支え部材の他方の端部が、排紙トレイに排紙スタックされた用紙束に接触したとしても、当該用紙束は押し出されることは無く、排紙トレイ上の用紙束のスタック品質を向上させることができる。
【００６６】
また、請求項２の発明によれば、支え部材は押し出し部材と一体的に進退可能に形成するようにしたため、単純な放出手段の機構とすることができ、よって安価な放出手段を実現することができる。
【００６８】
また、請求項３の発明によれば、支え部材を整合トレイの用紙積載面よりも高さ方向で下方の位置に設けるようにしたため、押し出し部材によって押出される用紙束を、確実に排紙トレイへ放出することが可能となる。
【００６９】
さらに、請求項４の発明によれば、放出手段により放出された用紙束の後端を整合トレイの下流部分に沿って下方（排紙トレイ側）にガイドするように構成したため、用紙束を逆流させることなく排紙トレイへ排出することが可能となる。
【図面の簡単な説明】
【図１】本発明の実施の形態にかかる用紙後処理装置の概略構成を示す説明図である。
【図２】本発明の実施の形態にかかる用紙後処理装置の概略構成を示す説明図である。
【図３】ステイプル搬送経路上の装置要部を後ろ斜めからみた斜視図である。
【図４】ステイプル搬送経路上の装置要部を前斜めからみた斜視図である。
【図５】整合部の構成を示す説明図である。
【図６】タタキコロ部の構成を示す説明図である。
【図７】放出部の構成を示す説明図である。
【図８】回動可能な支え部材を備えた放出部による用紙放出処理時の放出状態を示す説明図である。
【図９】回動可能な支え部材を備えた放出部の構成を示す説明図である。
【図１０】支え部材が存在しない放出部による用紙放出処理時の放出状態を示す説明図である。
【図１１】支え部材が存在しない放出部の構成を示す説明図である。
【図１２】回動しない（固定の）支え部材を備えた放出部による用紙放出処理時の放出状態を示す説明図である。
【図１３】回動しない支え部材を備えた放出部の構成を示す説明図である。
【図１４】底板、整合部および放出部を下斜めから見た斜視図である
【図１５】ステイプルモード時における用紙搬入直後の状態を示す説明図である。
【図１６】ステイプルモード時における用紙搬入直後の第１の整合状態を示す説明図である。
【図１７】第１の整合後における後端押圧状態を示す説明図である。
【図１８】第２の整合状態を示す説明図である。
【図１９】タタキコロ部による整合動作を示す説明図である。
【図２０】タタキ動作の終了状態を示す説明図である。
【符号の説明】
１      用紙後処理装置
４      搬送ローラ部
５      切替爪
５ａ    搬送経路Ａ切替面
５ｂ    搬送経路Ｂ切替面
５ｃ    用紙押圧面
５ｆ    引張スプリング
６      排紙トレイ
７      排紙ローラ対
８      底板
１０    タタキコロ部
１１    ステイプラ装置
１２    放出部
１２ａ  放出爪
１２ｅ  支え部材
９０    整合部
【図１】
0003986841.tif 000002
【図２】
0003986841.tif 000003
【図３】
0003986841.tif 000004
【図４】
0003986841.tif 000005
【図５】
0003986841.tif 000006
【図６】
0003986841.tif 000007
【図７】
0003986841.tif 000008
【図８】
0003986841.tif 000009
【図９】
0003986841.tif 000010
【図１０】
0003986841.tif 000011
【図１１】
0003986841.tif 000012
【図１２】
0003986841.tif 000013
【図１３】
0003986841.tif 000014
【図１４】
0003986841.tif 000015
【図１５】
0003986841.tif 000016
【図１６】
0003986841.tif 000017
【図１７】
0003986841.tif 000018
【図１８】
0003986841.tif 000019
【図１９】
0003986841.tif 000020
【図２０】
0003986841.tif 000021